【手続補正書】
【提出日】平成17年5月6日(2005.5.6)
【手続補正１】
【補正対象書類名】明細書
【補正対象項目名】特許請求の範囲
【補正方法】変更
【補正の内容】
【特許請求の範囲】
【請求項１】
ランプ組立体から光を放出するための光源と、
前記光源から照明ゾーンに光を透過するための光透過部分、及びこの光透過部分の選択された領域を覆いかつ電気的に活性化させて前記光源から前記照明ゾーンに伝達される光量を変える材料で被覆された光源ハウジング部分を有する光源ハウジングと、
前記材料に電気的に結合され、前記材料を選択的に活性化させ、これにより前記ランプ組立体からの光出力を制御する駆動回路と、を有することを特徴とするランプ組立体。
【請求項２】
前記材料は、逆モード型ＰＤＬＣ材料からなり、光源から照明ゾーンに伝達される光量を変えるために、前記逆モード型ＰＤＬＣ材料は、活性化しないときにより光を透過させ、また、活性化するときにより不透明になることを特徴とする請求項１記載のランプ組立体。
【請求項３】
前記材料は、柔軟なＰＤＬＣ材料のシートからなり、前記光源ハウジングに光透過部分に貼り付けられていることを特徴とする請求項１記載のランプ組立体。
【請求項４】
前記ランプハウジングの前記光透過部分の色を変えるために前記材料内に色素が包含されていることを特徴とする請求項１記載のランプ組立体。
【請求項５】
前記材料に包含される色素は、前記光源ハウジングの前記光透過部分から放出された光の色を変えることを特徴とする請求項４記載のランプ組立体。
【請求項６】
前記光源ハウジングの光透過部分は、材料の複数層を含み、前記ランプ組立体からの光出力を調整するために独立して活性化できることを特徴とする請求項１記載のランプ組立体。
【請求項７】
ランプ組立体は、自動車に取り付けるように適合し、更に、材料の３つの層が、前記光透過部分に貼り付けられ、かつ前記３つの層の不透明度を選択に制御して、フォグランプ出力、ロービーム出力、及びハイビーム出力を発生することを特徴とする請求項１記載のランプ組立体。
【請求項８】
前記駆動回路は、前記複数の層の光透過状態を制御する複数の入力を監視するためのユーザインターフェースを含んでいることを特徴とする請求項７記載のランプ組立体。
【請求項９】
前記複数の層は、逆モード型ＰＤＬＣ材料からなり、この材料は、ランプ組立体からの光出力を調整するために、活性化しないときにより光を透過させ、また、活性化するときにより不透明になることを特徴とする請求項６記載のランプ組立体。
【請求項１０】
前記駆動回路は、出力回路に結合されるプログラマブルコントローラを含み、前記出力回路により、前記複数の層が２つの光透過状態、即ち、高い光透過状態と低い光透過状態の一方を示すことを特徴とする請求項７記載のランプ組立体。
【請求項１１】
前記材料の複数の層の１つまたはそれ以上と重なるコーティングの付加的領域を含み、前記駆動回路がこの付加敵領域に電気的に結合されて、前記付加的領域の光透過状態を制御することを特徴とする請求項１記載のランプ組立体。
【請求項１２】
前記付加的領域と前記複数の層の両方が、前記２つの光透過状態、即ち、高い光透過状態と低い光透過状態の一方を示し、さらに、所定時間、前記駆動回路が１つの選択された層を活性化して高い透過性を有し、更に、前記選択された層に重なる付加的領域が低い透過性を有することを特徴とする請求項１１記載のランプ組立体。
【請求項１３】
前記駆動回路は、
(a)スイッチセレクタを含むユーザインターフェースと、
(b)前記スイッチセレクタの設定に応答し、一組の駆動出力を生じるプログラマブルコントローラと、
(c)前記材料に結合され、前記材料に交流信号を供給して、前記材料の光透過特性を変化させるための駆動回路部と、を含むことを特徴とする請求項１記載のランプ組立体。
【請求項１４】
前記駆動回路の駆動出力は、前記光源から前記材料の領域を通って、高レベル、低レベル、及び少なくとも１つの中間レベルのいずれかの光透過レベルを調整するための制御出力を含んでいることを特徴とする請求項１記載のランプ組立体。
【請求項１５】
前記駆動回路のプログラマブルコントローラは、前記材料の関連領域の光透過レベルを調整するために、前記コントローラからのパルス幅変調信号を選択的に制御することを特徴とする請求項１４記載のランプ組立体。
【請求項１６】
光源から照明ゾーンに光を伝達するために、光透過部分を有するハウジング内に光を放出する前記光源を配置し、
前記光透過部分の選択された領域を覆うために、材料を前記ハウジングに取り付け、
前記材料が電気的に活性化すると、前記光源から照明ゾーンへ伝達される光量を変える前記材料を選択的に活性化するための駆動回路に前記材料を結合する、各ステップを有することを特徴とするランプ組立体を構成するための方法。
【請求項１７】
前記材料は、前記材料の重なり合う層を独立して活性化できるように、互いに分離した層内にある光透過部分に結合されていることを特徴とする請求項１６記載の方法。
【請求項１８】
前記材料は、逆モード型ＰＤＬＣ材料からなり、光源から照明ゾーンに伝達される光量を変えるために、前記逆モード型ＰＤＬＣ材料は、活性化しないときにより光を透過させ、また、活性化するときにより不透明になることを特徴とする請求項１６記載の方法。
【請求項１９】
前記ハウジングの前記光透過部分の色を変えるために前記材料内に色素が包含されていることを特徴とする請求項１６記載の方法。
【請求項２０】
前記材料に包含される色素は、前記ハウジングの前記光透過部分から放出された光の色を変えることを特徴とする請求項１９記載の方法。
【請求項２１】
前記材料は、ランプ組立体の前記光透過部分の表面を横切る複数の層から構成され、前記ランプ組立体は、前記駆動回路に結合されて、前記ランプ組立体の作動中、前記複数の層の光透過特性を独立して制御できることを特徴とする請求項１６記載の方法。
【請求項２２】
前記材料の複数の層が、前記ランプ組立体の光透過部分に貼り付けられ、かつ前記駆動回路が前記複数の層に結合され、前記複数の層の光透過状態を独立して制御して、前記ランプ組立体から、フォグランプ出力、ロービーム出力、及びハイビーム出力を発生することを特徴とする請求項１６記載の方法。
【請求項２３】
前記複数の層の光透過状態を制御する複数の入力を監視するために、さらにユーザインターフェースを設けることを更に含んでいる請求項２２記載の方法。
【請求項２４】
前記材料の複数の層を１つまたはそれ以上重なる、前記材料の付加的領域をさらに含み、前記駆動回路が、前記付加的領域に結合されて、前記付加的領域の光透過状態を独立して制御することを特徴とする請求項２２記載の方法。
【請求項２５】
前記材料の活性化は、前記光源から前記材料の領域を通って、高レベル、低レベル、及び１つ以上の中間レベルのいずれかの光透過レベルを調整することを特徴とする請求項１６記載の方法。
【請求項２６】
前記材料の活性化は、前記材料の関連領域の光透過状態を調整するためにパルス幅変調信号を供給することによって実行されることを特徴とする請求項１６記載の方法。
【請求項２７】
ランプ組立体から光を放出するための光源と、
前記ランプ光源から照明ゾーンに光を透過するための光透過部分、及びこの光透過部分の選択領域を覆いかつ電気的に活性させて前記光源から前記照明ゾーンに伝達される光量を変える材料を含んでいる光源ハウジング部分を有する光源ハウジングと、
前記材料に電気的に結合され、前記材料を選択的に活性化させ、これにより前記ランプ組立体からの光出力を制御する駆動回路と、を有することを特徴とする自動車用ランプ組立体。
【請求項２８】
前記材料は、柔軟なＰＤＬＣ材料のシートからなり、前記光源ハウジングに光透過部分によって支持されていることを特徴とする請求項２７記載の装置。
【請求項２９】
前記材料は、逆モード型ＰＤＬＣ材料からなり、光源から照明ゾーンに伝達される光量を変えるために、前記逆モード型ＰＤＬＣ材料は、活性化しないときにより光を透過させ、また、活性化するときにより不透明になることを特徴とする請求項２７記載の装置。
【請求項３０】
前記光源ハウジングの前記光透過部分の色を変えるために前記材料内に色素が包含されていることを特徴とする請求項２７記載の装置。
【請求項３１】
前記材料に包含される色素は、前記光源ハウジングの前記光透過部分から放出された光の色を変えることを特徴とする請求項２７記載の装置。
【請求項３２】
前記光源ハウジングの光透過部分は、材料の複数の領域を含み、前記ランプ組立体からの光出力を調整するために独立して活性化できることを特徴とする請求項２７記載の装置。
【請求項３３】
前記材料の複数の領域は、行と列からなる行列を形成し、前記ランプ組立体の光出力を調整するために前記駆動回路によって独立して活性化されることを特徴とする請求項２７記載の装置。
【請求項３４】
前記光源ハウジングの光透過部分は、内側層と外側層を含み、前記材料は、前記光透過部分の前記内側層と外側層の間に支持されていることを特徴とする請求項２７記載の装置。
【請求項３５】
前記材料は、前記光源ハウジングの光透過部分の内側層と外側層の間に導かれる導体によって個々に活性化する別個の領域を含んでいることを特徴とする請求項３４記載の装置。
【請求項３６】
前記材料は、ＰＤＬＣ材料であることを特徴とする請求項３５記載の装置。
【請求項３７】
前記材料は、別個のハウジングキャップによって支持され、このキャップは、前記光源ハウジングの光透過部分から離れて距離に前記材料を配置して、前記光源ハウジング内に照明された光源から前記コーティング部分への熱伝達を弱めることを特徴とする請求項２７記載の装置。
【請求項３８】
前記材料は、接着材料を用いて光源ハウジングの光透過部分に取り付けられることを特徴とする請求項３２記載の装置。
【請求項３９】
接着材料は、前記駆動回路と材料間の導電経路の一部分を形成する導電性接着剤であることを特徴とする請求項３８記載の装置。
【請求項４０】
前記駆動回路は、前記複数の領域の光透過状態を制御する複数の入力を設定するためにユーザインターフェースを含んでいることを特徴とする請求項３２記載の装置。
【請求項４１】
前記ユーザインターフェースは、ランプのための調光入力を制御することを特徴とする請求項４０記載の装置。
【請求項４２】
前記ユーザフィンターフェースは、１つのターン信号制御であり、前記駆動回路は、光源のオンオフを切り換えることなく、閃光するターン信号を示すために、前記複数の領域の選択された1つを活性化させることを特徴とする請求項４０記載の装置。
【請求項４３】
前記駆動回路は、出力回路に結合されるプログラマブルコントローラを含み、この出力回路により、前記複数の領域が２つの光透過状態、即ち、高い光透過状態と低い光透過状態の一方を示すことを特徴とする請求項３２記載の装置。
【請求項４４】
光源ハウジングは、光反射器を含み、前記光源ハウジングの光透過部分は、外側周縁領域及び中央領域を含み、前記光反射器から反射された光は、前記中央領域を通って前記光源ハウジングから出るように集中し、さらに、前記光源ハウジングの光透過部分の外側周縁領域を覆う１つ以上のコーティング領域を含むことを特徴とする請求項２７記載の装置。
【請求項４５】
前記駆動回路は、
(a)スイッチセレクタを含むユーザインターフェースと、
(b)前記スイッチセレクタの設定に応じて一組の駆動出力を生じさせるプログラマブルコントローラと、
(c)前記材料に交流信号を加えるために前記材料に結合され、前記材料の光透過特性を変化させるためのドライバ回路と、を含んでいることを特徴とする請求項２７記載の装置。
【請求項４６】
前記駆動回路は、光源が作動状態により前記材料の領域を通る光透過のレベルを調整するための制御出力を含むことを特徴とする請求項２７記載の装置。
【請求項４７】
前記駆動回路は、前記材料の領域を通る光透過のレベルを調整するための制御出力と、自動車用エンジンが作動中かどうかを監視するための入力とを含み、さらに、前記駆動回路が前記自動車用エンジンの作動状態に基づく光透過のレベルを制御することを特徴とする請求項２７記載の装置。
【請求項４８】
前記駆動回路は、前記材料の関連する領域の光透過レベルを調整するための直流信号出力を用いることを特徴とする請求項２７記載の装置。
【請求項４９】
ランプ組立体からの光を放出するランプ電球と、
ランプ電球から照明ゾーンに光を伝達するための光透過部分を有するランプハウジングと、
ランプ電球と照明ゾーンの間に設けられて前記コーティング材料を支持しかつコーティング材料が電気的に活性化するとき、前記ランプ電球から照明ゾーンに伝達された光量を変える光透過キャップ部分を含み、前記ランプ電球から前記コーティング材料に伝達される熱を制御するために、前記ランプ電球から前記コーティング材料を離す間隔を有して、前記ランプハウジングに取り付けられたキャップと、
前記コーティング材料に電気的に結合され、前記コーティング材料を選択的に活性化して前記ランプ組立体からの光出力を制御する駆動回路と、を含んでいることを特徴とする自動車用ランプ組立体。
【請求項５０】
ランプ電球から照明ゾーンに光を伝達するために光透過部分を有するランプハウジング内に光を放出するランプ電球を配置し、
前記光透過部分の選択された領域を覆うように、前記ランプハウジングに対してコーティング材料を取り付け、
前記コーティング材料の光透過状態を制御するための駆動回路に前記コーティング材料を結合し、
前記ランプ電球から照明ゾーンへ伝達される光特性を電気的に制御するとき、前記コーティング材料を選択的に活性化するための駆動回路に前記コーティング材料を結合する、各ステップを有することを特徴とする自動車用ランプ組立体を構成するための方法。
【請求項５１】
前記コーティング材料は、逆モード型ＰＤＬＣ材料からなり、ランプ電球から照明ゾーンに伝達される光量を変えるために、前記逆モード型ＰＤＬＣ材料は、活性化しないときにより光を透過させ、また、活性化するときにより不透明になることを特徴とする請求項５０記載の方法。
【請求項５２】
前記ランプハウジングの前記光透過部分の色を変えるために前記コーティング材料内に色素が包含されていることを特徴とする請求項５０記載の方法。
【請求項５３】
前記コーティング材料に包含される色素は、前記ランプハウジングの前記光透過部分から放出された光の色を変えることを特徴とする請求項５２記載の方法。
【請求項５４】
前記コーティング材料は、このコーティング材料を低下させるランプ電球からの熱を避けるために、ランプハウジングの光透過部分に対して間隔をおいて固定されていることを特徴とする請求項５０記載の方法。
【請求項５５】
前記コーティング材料は、ランプ組立体の光透過部分の表面を横切る列と行のマトリックス内に多数の領域を形成し、前記ランプ組立体は、ヘッドランプ組立体の作動中に、前記領域の光透過特性にわたり独立の制御を可能にするために独立した駆動回路に結合されていることを特徴とする請求項５０記載の方法。
【請求項５６】
導電性の接着剤材料を用いて、ランプハウジングの光透過部分にコーティング材料が固定され、前記駆動回路が前記コーティング材料に電気的に結合されることを特徴とする請求項５０記載の方法。
【請求項５７】
前記コーティング材料は、ランプハウジングの光透過部分の内側層と外側層内に支持されていることを特徴とする請求項５０記載の方法。
【請求項５８】
前記コーティング材料は、多数の個別のコーティング領域から作られ、さらに、前記コーティング領域の光透過特性を選択的に制御するために、ランプハウジングの光透過部分の内側層と外側層との間の導体を前記多数の個別のコーティング領域に導くことを特徴とする請求項５７記載の方法。
【請求項５９】
駆動回路は、前記コーティング材料の関連する領域の光透過レベルを調整するために、直流（ＤＣ）信号出力を印加することを特徴とする請求項５０記載の方法。
【請求項６０】
ランプ電球から照明ゾーンへ光を伝達するための光透過部分を有するランプハウジング内に光を放出するランプ電球を配置し、
前記光透過部分の選択された領域を覆うように、前記ランプハウジングに対してコーティング材料を取り付け、
前記コーティング材料の光透過状態を制御するための駆動回路に前記コーティング材料を結合し、
前記ランプ電球から照明ゾーンへ伝達される光量を変えるために前記コーティング材料を活性化させるために前記駆動回路を選択的に作動する、各ステップを有することを特徴とする自動車用ランプの作動方法。
【請求項６１】
前記コーティング材料は、逆モード型ＰＤＬＣ材料からなり、ランプ電球から照明ゾーンに伝達される光量を変えるために、前記逆モード型ＰＤＬＣ材料は、活性化しないときにより光を透過させ、また、活性化するときにより不透明になることを特徴とする請求項６０記載の方法。
【請求項６２】
前記ランプハウジングの前記光透過部分の色を変えるために前記コーティング材料内に色素が包含されていることを特徴とする請求項６０記載の方法。
【請求項６３】
前記コーティング材料に包含される色素は、前記ランプハウジングの前記光透過部分から放出された光の色を変えることを特徴とする請求項６２記載の方法。
【請求項６４】
選択的に作動させるステップは、ランプ電球が点灯されたかどうかに基づいていることを特徴とする請求項６０記載の方法。
【請求項６５】
選択的に作動させるステップは、自動車用エンジンが運転中かどうかに基づいていることを特徴とする請求項６０記載の方法。
【手続補正２】
【補正対象書類名】明細書
【補正対象項目名】０００８
【補正方法】変更
【補正の内容】
【０００８】
本発明に従って構成されたランプ組立体の例示的な形態では、ランプ組立体からの光を放出するための１つの光源を含み、ランプ組立体は、電球から照明ゾーンに光を伝達するための光透過部分を有する光源ハウジングによって支持されている。少なくとも光源ハウジングの一部分は、ハウジングの光透過部分の選択された領域を覆う被膜材料でコーティングされている。このコーティング材料を電気的に活性化することにより、その光透過特性が制御され、これにより、光源から照明ゾーンへ伝達される光量を制御する駆動回路は、コーティング材料に電気的に結合されている。
【手続補正３】
【補正対象書類名】明細書
【補正対象項目名】００１６
【補正方法】変更
【補正の内容】
【００１６】
図面を参照すると、図１は、ヘッドランプ組立体（ランプ組立体）１０を示し、この組立体は、光源ハウジング１４に取り付けられた光を放出するためのヘッドランプ電球（光源）１２を有し、光源ハウジング１４は、光源１２からヘッドランプ組立体１０の前側の照明ゾーンに光を放出するための光透過部分またはレンズ１６を有する。光源ハウジング１４の内側表面２０は、内側表面２０に到達する光を反射させてハウジング内部に戻し、その結果、光は、光透過部分１６を介してハウジングから出る。